(57)【要約】【課題】照明器具の特性に依存することなく、店舗等の建物内の照度を目的の照度に制御できる照度制御装置を提供することにある。【解決手段】店舗等の建物の屋外に設置した屋外用照度センサ１２Ｄを使用して、建物内の照度が最適になるように、各ゾーン１１Ａ〜１１Ｃ毎に配置した照明器具を制御する照度コントローラ１０が開示されている。照度コントローラ１０は、各ゾーンの照度センサ１２Ａ〜１２Ｃから照度検出信号を入力し、各照明器具の調光を制御するための制御出力値を照度センサ１２Ａ〜１２Ｃに出力する。【選択図】      図１
2006012679.tif 000002
【特許請求の範囲】
【請求項１】
建物内の複数のゾーンに配置された複数の照明器具を制御することで、当該建物内の照度を制御する照度制御装置において、
前記建物の外側に配置されて、自然光に応じた屋外照度を検出する屋外用照度センサと、
前記屋外用照度センサからの検出結果を使用して、前記各ゾーンの照度を目標とする照度に制御する制御手段と
を具備したことを特徴とする照度制御装置。
【請求項２】
前記複数のゾーンは、前記屋外照度の影響が相対的に最小となる壁側ゾーン、前記屋外照度の影響が相対的に中間となる中間ゾーン、及び前記屋外照度の影響が相対的に最大となる窓側ゾーンを含むことを特徴とする請求項１に記載の照度制御装置。
【請求項３】
前記各ゾーンには、前記各照明器具からの発光の照度を検出する各照度センサが配置されており、
前記制御手段は、前記屋外用照度センサからの検出結果と共に、前記各照度センサからの検出結果を使用して前記各ゾーンの照度を制御することを特徴とする請求項１又は請求項２のいずれか１項に記載の照度制御装置。
【請求項４】
前記各ゾーンには、前記各照明器具からの発光の照度を検出し、かつ前記各照明器具の調光を制御する調光制御手段を含む各照度センサが配置されており、
前記制御手段は、前記屋外用照度センサからの検出結果と共に、前記各照度センサからの検出結果を使用して目的とする照度を前記各調光制御手段に出力することで、前記各ゾーンの照度を制御することを特徴とする請求項１又は請求項２のいずれか１項に記載の照度制御装置。
【請求項５】
前記制御手段は、前記屋外照度の影響と共に、前記各ゾーンに対して相互に隣接するゾーンからの照度の影響に基づいて、前記各ゾーンの照度を制御することを特徴とする請求項１から請求項４のいずれか１項に記載の照度制御装置。
【請求項６】
前記制御手段は、前記壁側ゾーンの照度を基準として、前記建物内の照度を目標とする照度に調整することを特徴とする請求項２に記載の照度制御装置。
【請求項７】
前記制御手段は、各ゾーンに配置された照明器具に対して調光信号線を介して調光することで前記各ゾーンの照度を制御することを特徴とする請求項１から請求項６のいずれか１項に記載の照度制御装置。
【請求項８】
前記制御手段は、前記屋外照度が一定基準に満たない場合には、前記建物内のかすみ状態を抑制するために、強制的に前記各ゾーンの照度を増大させるように制御することを特徴とする請求項１から請求項７のいずれか１項に記載の照度制御装置。
【請求項９】
前記制御手段は、前記屋外照度が基準照度と比較して高い場合には減光率を使用し、または低い場合には増光率を使用した前記照度の制御を実行することを特徴とする請求項１から請求項７のいずれか１項に記載の照度制御装置。
【請求項１０】
建物内を窓側ゾーン、壁側ゾーン、及び中間ゾーンに区別し、当該各ゾーンに配置された第１から第３の照度センサ及び自然光に応じた屋外照度を検出する屋外用照度センサを空の各検出結果を使用して、前記各ゾーンに配置された照明器具を制御する照度制御装置に適用する照度制御方法において、
前記第１から第３の照度センサ及び前記屋外用照度センサからの各検出結果を入力し、
前記屋外照度の影響と共に、前記各ゾーンに対して相互に隣接するゾーンからの照度の影響に基づいて前記各照明器具の調光を制御することで目標とする照度に制御することを特徴とする照度制御方法。
【発明の詳細な説明】
【技術分野】
【０００１】
本発明は、例えば小店舗における照明設備の照度制御を行なう照度制御装置に関する。
【背景技術】
【０００２】
従来、例えばコンビニエンス・ストア等の店舗は、一般的に４方を壁に囲まれた構造をしているが、多くの場合、防犯上の観点から少なくとも１方が窓側としてガラス面が設けられている。また、当該窓側には、ブラインドが付けられていることが多い。
【０００３】
ところで、店舗においては、夜間だけでなく、昼間でも照明が必要であるため、照明設備は重要な設備の一つである。一般的に、店舗では、店内の照度を一定に保持するような照明制御が望ましい。特に、昼間は、前記のガラス面から太陽光である外光の影響があるため、窓側と壁側では照度が不均一になる。この場合、ブラインドにより、窓側の外光の影響を調整することは可能であるが、効果は限定的であり、外光の影響を受けやすい。
【０００４】
一部の店舗においては、昼光センサを用いて一定以上の明るさが得られる場合には、窓側の調光率を低くする調光制御を導入している。しかし、店舗内を一律の輝度に保持する目的とは異なり、主として省電力化を目的とするものであった。
【０００５】
照明の省電力化を目的とした先行技術として、ブラインドを利用した照明器具の電力及び空調機の電力を抑制する提案がなされている（例えば、特許文献１を参照）。
【特許文献１】特許第３３０２８０号公報
【発明の開示】
【発明が解決しようとする課題】
【０００６】
最近では、特に新規に店舗を立ち上げる際に、照明設備を導入する上で、店内の照度を一定に保持するように、店舗の形状、大きさに応じて照明器具の配置設計の工夫がなされていることが多い。しかしながら、照明器具の特性として、点灯時間が一定時間を経過すると、輝度が低減していくことが確認されている。また、その特性が照明器具メーカ毎に異なる。
【０００７】
このような事情から、一般的に照明制御においては、各照明器具メーカのコントローラを使用して、導入時は調光率を下げて、その後に調光率をだんだん上げる事で、店舗内の照度を一定に保持する制御が実行されている。
【０００８】
本発明の目的は、照明器具の特性に依存することなく、店舗等の建物内の照度を目的の照度に制御できる照度制御装置を提供することにある。
【課題を解決するための手段】
【０００９】
本発明の観点は、店舗等の建物の屋外に設置した屋外用照度センサを使用して、建物内の照度が最適になるように、照明器具を制御する照度制御装置である。
【００１０】
本発明の観点に従った照度制御装置は、建物内の複数のゾーンに配置された複数の照明器具を制御することで、当該建物内の照度を制御する照度制御装置において、前記建物の外側に配置されて、自然光に応じた屋外照度を検出する屋外用照度センサと、前記屋外用照度センサからの検出結果を使用して、前記各ゾーンの照度を目標とする照度に制御する制御手段とを備えた構成である。
【発明の効果】
【００１１】
本発明の照度制御装置によれば、建物内の照明設備に含まれる照明器具の特性に依存することなく、屋外照度の影響を考慮して、建物内の各ゾーンの照度を目的の照度に制御することで、建物内の照度を最適化できる照度制御装置を提供することにある。
【発明を実施するための最良の形態】
【００１２】
以下図面を参照して、本発明の実施形態を説明する。
【００１３】
（照明設備の構成）
図１は、本実施形態に関する建物である店舗内の照明設備の構成を示す図である。図２は、当該店舗内のレイアウトを示す図である。図３及び図４は、当該店舗内の照明器具３０の配置を示す図である。図５は、照度センサの配置を示す図である。
【００１４】
照明設備は、図１に示すように、照度コントローラ１０と、後述する各ゾーン１１Ａ〜１１Ｃに区別されて配置された照明器具と、店舗内に配置された複数の照度センサ１２Ａ〜１２Ｃと、店舗の屋外に配置された屋外用照度センサ１２Ｄとを有する。
【００１５】
さらに、照明設備は、電源系を制御するための主幹ブレーカ１３に接続された店内照明用ブレーカ１４と、各ゾーン毎に配置されたコンバータ１５Ａ〜１５Ｃと、屋外用のコンバータ１５Ｄとを有する。
【００１６】
照度コントローラ１０は、制御線１００，１１０を介して照度センサ１２Ａ〜１２Ｄからの検出信号を入力し、現在の照度を監視する。さらに、照度コントローラ１０は、制御線１００，１１０を介して目的とする照度（制御出力値）を照度センサ１２Ａ〜１２Ｃに出力する。照度センサ１２Ａ〜１２Ｃは、照度コントローラ１０からの目的とする照度になるように、調光信号線１１１Ａ〜１１１Ｃを介して各ゾーンの照明器具の調光制御を実行する。
【００１７】
（店舗の外観構成）
本実施形態の建物２００は、図２に示すように、例えばコンビニエンス・ストア等の店舗を想定している。当該店舗は、４方の側面の中で１面にはガラス面２０が配置されている。即ち、窓ガラス面であり、外部から店内の様子が見える構造となっている。特に昼間では、当該窓ガラス面２０を通して、太陽光である外光の影響を受けやすい状況である。
【００１８】
店舗内の照明設備として、図３に示すように、複数の照明器具３０が配置されている。ここでは、照明器具３０の大部分は、窓ガラス面２０と平行した配列されている。また、照明器具３０の一部は、窓ガラス面２０と直交するように、補助的に一列または二列に配置されている。
【００１９】
次に、店舗内は、図４に示すように、壁側ゾーン１１Ａ、中間ゾーン１１Ｂ、及び窓側ゾーン１１Ｃの３ゾーンに区別する。複数の照明器具３０は、各ゾーン１１Ａ〜１１Ｃ毎に分割される。壁側ゾーン１１Ａは、外光の影響が相対的に最小となるゾーンである。窓側ゾーン１１Ｃは、外光の影響が相対的に最大となるゾーンである。中間ゾーン１１Ｂは、外光の影響及びケースの照明の影響も少なく、相対的に最も安定した照明環境である。
【００２０】
また、カウンタ側に配置された照明器具３０については、外光の影響を特に受けるゾーンを窓側ゾーン１１Ｃとする以外は、中間ゾーン１１Ｂとする。ウォークイン、冷凍リーチン側に配置された照明器具３０の内、外光の影響を特に受けるゾーンは窓側ゾーン１１Ｃとするが、ケース照明が基準照度を満たす輝度を発している場合には、壁側ゾーン１１Ａとする。
【００２１】
さらに、照明設備として、図５に示すように、照度（または輝度）を測定するための照度センサ１２Ａ〜１２Ｄが配置されている。店内では、各ゾーン１１Ａ〜１１Ｃ毎に、それぞれ１つの照度センサ１２Ａ〜１２Ｃが配置されている。なお、各照度センサ１２Ａ〜１２Ｃは、照度コントローラ１０からの目的とする照度になるように、各ゾーン１１Ａ〜１１Ｃの照明器具３０の調光を制御するために、それぞれの照明器具３０の中間に配置されている。
【００２２】
（本実施形態の作用効果）
次に、本実施形態の照度制御の動作及びその効果を説明する。
【００２３】
先ず、図６（Ａ）に示すように、日中（昼間）では、店舗２００は、屋外及び店舗内の各ゾーン１１Ａ〜１１Ｃの照度が、太陽光２１０による外光の影響を受ける。図６（Ｂ）は、照度センサ１２Ａ〜１２Ｄにより検出された照度を示す。
【００２４】
即ち、屋外では、照度センサ１２Ｄの検出結果から、店内にて必要とされる照度（基準照度）以上の照度（明るさ）があることが確認される。また、窓ガラス面の近傍である窓側ゾーン１１Ｃにおいても、照度センサ１２Ｃの検出結果から、基準照度に近い照度が得られる。他のゾーン１１Ａ，１１Ｂについても、照度センサ１２Ａ，１２Ｂの検出結果から、相対的に外光の影響は小さいが、多少の影響を受けることが確認される。
【００２５】
本実施形態では、照度コントローラ１０は、照度センサ１２Ａ〜１２Ｄからの各検出結果を入力して、屋外及び店舗内の各ゾーン１１Ａ〜１１Ｃの照度を監視している。
【００２６】
なお、図７（Ａ）に示す夜間では、屋外及び店舗内の各ゾーン１１Ａ〜１１Ｃの照度は、太陽光２１０による外光の影響はなくなる。このため、照度センサ１２Ａ〜１２Ｄにより検出された照度は、図７（Ｂ）に示すような結果となる。即ち、夜間では、外光の影響がマイナス側に働き、照明器具により、必要とする基準以上の輝度を放射しないと必要十分な照度を得られないことになる。
【００２７】
さらに、店内の照明が受ける影響として、外光以外に店内のショーケースや看板などの照明がある。日中では、図８（Ａ）に示すように、店内の特に壁側ゾーン１１Ａでは、白部分で示す店内のショーケースや看板などの照度がプラスの影響を与えている。
【００２８】
これにより、各ゾーンでの照明器具から発生する必要な輝度を得るためには、図８（Ｂ）に示すように、照度コントローラ１０は、窓側ゾーンではで外光の影響を差し引いた分の制御出力値を出力すればよい。また、中間ゾーン及び壁側ゾーンでは、外光とショーケースや看板の照度を差し引いたものを制御出力値として出力すればよい。即ち、制御出力値は、窓側ゾーンから壁側ゾーンに行くにつれて高くなる。
【００２９】
図９（Ａ）は、夜間における店内のショーケースや看板などの照明の影響を示す。即ち、屋外の照度が無くなる、夜間における外光から受ける影響は、マイナス側に働き、必要とする基準以上の輝度を放射しないと必要十分な照度を得られない。日中同様、ショーケースや看板の照明は、プラス側に影響を与える事から、基準照度を得るのに必要な制御出力値は、図９（Ｂ）に示すように、窓側ゾーンから壁側ゾーンに行くにつれて低くなる。
【００３０】
以上のように、照度コントローラ１０は、壁側ゾーン１１Ａでの制御出力値を起点とし、基準照度からショーケースや看板の照明による照度を差し引いた照度を照度補正後の基準として制御する。なお、壁側ゾーン１１Ａにおける外光の影響は、全体に占める影響が小さいため無視することができる。
【００３１】
（具体的な照度制御動作）
以上のような照度制御において、本実施形態は、店舗内を複数のゾーン１１Ａ〜１１Ｃに分割して照度制御を行なう構成である。この場合、各ゾーン１１Ａ〜１１Ｃは、それぞれが独立した空間で無いため、隣接ゾーンの照明の影響を受けることになる。
【００３２】
以下、隣接ゾーンの照明の影響も考慮した具体的な照度制御を、図１０から図１６を参照して説明する。
【００３３】
図１０（Ａ）は、窓側ゾーン１１Ｃ、中間ゾーン１１Ｂ、壁側ゾーン１１Ａに対して、外光、隣接ゾーンの照明、及びケースや看板の照明の影響の程度を示す図である。図１０（Ｂ）は、外光の各ゾーンに与える影響において、１日の時間当たりの影響係数（％）を示す図である。図１０（Ｃ）は、隣接ゾーンからの影響係数（％）及びケースや看板の照明の影響を照度で示す図である。
【００３４】
図１０からも明白であるように、エネルギー的に大きな輝度を持つ外光は、窓側ゾーンから壁側ゾーンの奥に行くに従って小さくなるが、全ゾーンに対して影響を与える。しかしながら、店内の各ゾーンに与える影響は、本実施形態では、隣接ゾーンからの影響のみとする。これは、照度基準点が概ね床高１０００ｍｍで、各ゾーンの境界に位置される事が多いゴンドラ棚が照度基準点よりも高い壁となって、２つ先のゾーンにまで影響を与えにくい配置となっているためである。
【００３５】
ショーケースや看板の照明は、通常では、壁側ゾーン１１Ａに配置されるため、壁側ゾーン１１Ａとその隣接ゾーン（中間ゾーン１１Ｂ）に影響を与えるものとする。
【００３６】
外光が各ゾーンに与える影響は、図１０（Ｂ）に示すように、時々刻々と変化するが、大別して日没後、日の出から基準照度以下と基準照度以下から日没、基準照度以上の３パターンに区別される。
【００３７】
照明器具の隣接ゾーンに与える影響は、時間帯にはよらず、全体に占める本数によるものと定義し、この固定値に現在照度を掛けたものとする。ショーケースや看板の照明は照度が一定のため、固定値として影響を与えていると定義する。
【００３８】
図１１は、照度コントローラ１０が外光の隣接ゾーンへの影響値を演算するための手順を示すフローチャートである。
【００３９】
照度コントローラ１０は、屋外照度センサ１２Ｄからの検出結果により、屋外の照度が定義した一定照度以下（例えば１００ lux）の場合には、日没と判断する（ステップＳ１，Ｓ２のＹＥＳ）。ここで、外光の基準照度を例えば１０００ luxとする（ステップＳ２のＮＯ，Ｓ５）。
【００４０】
照度コントローラ１０は、基準照度から屋外照度を差し引き、それに各ゾーンの影響係数Ａを掛けて得られた値を、基準照度から差し引く演算を実行する（ステップＳ３，Ｓ４）。影響係数Ａは、図１０（Ｂ）に示す２０時以降（日没）の影響係数であり、例えば窓側ゾーンが−０．５（−５０％）、中間ゾーンが−０．１（−１０％）、壁側ゾーンが−０．０５（−５％）である。
【００４１】
ここで、例えば屋外照度を０１ lux（ほぼ０）、基準照度を１０００ luxとした場合に、前述の影響係数Ａを掛けた計算結果は、
窓側ゾーン：−（（１０００−０）＊（−０．５））＝−５００ lux
中間ゾーン：−（（１０００−０）＊（−０．１））＝−１００ lux
壁側ゾーン：−（（１０００−０）＊（−０．０５））＝−５０ lux
となる。
【００４２】
次に、照度コントローラ１０は、図１２から図１５のフローチャートに示すように、各ゾーン１１Ａ〜１１Ｃの照度設定を行なうための制御動作を実行する。
【００４３】
即ち、照度コントローラ１０は、各照度センサ１２Ａ〜１２Ｃからの検出結果を入力して、各ゾーン１１Ａ〜１１Ｃの現在照度を確認する。窓側ゾーン１１Ｃの照度設定では、図１２に示すように、隣接ゾーンとして中間ゾーン１１Ｂの現在照度からの影響を算出する（ステップＳ２２，Ｓ２３）。中間ゾーン１１Ｂの照度設定では、図１４に示すように、隣接ゾーンとして窓側ゾーン１１Ｃ及び壁側ゾーン１１Ａの現在照度からの影響を算出する（ステップＳ５２，Ｓ５３）。さらに、ショーケースや看板の照明による影響を算出する（ステップＳ５４）。また、壁側ゾーン１１Ａの照度設定では、図１５に示すように、隣接ゾーンとして中間ゾーン１１Ｂ及びショーケースや看板の照明による影響を算出する（ステップＳ６２，Ｓ６３）。
【００４４】
照度コントローラ１０は、図１３に示すように、外光の影響、隣接ゾーンからの影響、ショーケースや看板の照明による影響を考慮した現在照度と基準照度との基づいて、目標とする照度を決定する（ステップＳ３４，Ｓ３５，Ｓ４０）。目標とする照度が上限以上であれば、当該上限値を設定する（ステップＳ３７，Ｓ３８）。一方、目標とする照度が下限以下であれば、当該下限値を設定する（ステップＳ４１，Ｓ４２）。
【００４５】
照度コントローラ１０は、設定した各ゾーン１１Ａ〜１１Ｃの目標とする照度（制御出力値）を、各照度センサ１２Ａ〜１２Ｃに出力して、各照明器具３０の調光制御を実行させる（ステップＳ３９）。
【００４６】
以下、各ゾーン１１Ａ〜１１Ｃの目標とする照度設定の具体例を説明する。
【００４７】
ここでは、現在照度として、例えば窓側ゾーン１１Ｃが９００ lux、中間ゾーン１１Ｂが１０００ lux、壁側ゾーン１１Ａが１１００ luxとする。また、ショーケースや看板の照明により、例えば中間ゾーン１１Ｂには＋１００ lux、壁側ゾーン１１Ａには＋３００ luxが影響する（図１０（Ｃ）を参照）。
【００４８】
さらに、図１０（Ｃ）に示すように、窓側ゾーンの照明が中間ゾーンに与える影響は、１８０ luxである。中間ゾーンは、窓側ゾーンに２００ lux、壁側ゾーンに３００ luxの影響を与える。壁側ゾーンは、中間ゾーンに２２０ luxの影響を与える。ショーケースや看板の照明は、窓側ゾーンに１００ lux、壁側ゾーンに３００ luxの影響を与える。
【００４９】
以上から、照度コントローラ１０は、隣接ゾーンから受ける影響として、窓側ゾーンが−３００ lux、中間ゾーンが４００ lux、壁側ゾーンが５５０ luxとして算出する。そして、照度コントローラ１０は、各ゾーンの照度を制御するための制御出力値として、窓側ゾーンが１３００ lux、中間ゾーンが６００ lux、壁側ゾーンが４５０ luxとなるように、各照明器具３０の調光を制御する。ここで、例えば、制御下限を各ゾーンで８００ luxと定義した場合には、中間ゾーン及び壁側ゾーンの照度を８００ luxになるように制御する。
【００５０】
また、照度コントローラ１０は、屋外照度センサ１２Ｄからの検出結果により、屋外の照度が外光の基準照度以上の場合にも、前記と同様に外光については影響係数を掛ける演算市よを実行する（ステップＳ６のＮＯ，Ｓ９〜Ｓ１７）。但し、基準照度と比較して屋外照度がどの程度高いかによって、段階的に影響係数（Ｂ，Ｃ，Ｄ）を変える事で、より外光による影響を反映した制御を行う事が可能となる。影響係数によって求められた制御出力値が上限照度を超える場合には、制御上限値の出力を行なうことになる。
【００５１】
（かすみ制御処理）
本実施形態は、図２に示すように、建物の１面が窓ガラス面２０とする構造の店舗を想定している。この窓ガラス面２０により、外部から店内の様子が見える構造となっているのは、防犯上の目的もある。
【００５２】
本実施形態では、照度コントローラ１０は、図１１に示すように、外光が日没照度以上でかつ基準照度以下の場合には、後述するかすみ処理を実行し、かすみフラグをｏｎにセットする（ステップＳ６のＮＯ，Ｓ７，Ｓ８）。
【００５３】
かすみ現象とは、外光が不安定な状況で、外部から店舗内がかすんで見えるような現象である。このため、照度コントローラ１０は、図１６のフローチャートで示すようなかすみ処理を実行して、店内照明を明るくする事で、外部からの店舗がかすんで見えない様にする。
【００５４】
照度コントローラ１０は、図１６に示すように、窓側ゾーン、中間ゾーンは、壁側ゾーンの各ゾーンの照度を上限に誘導する処理実行する（ステップＳ７２，Ｓ７３，Ｓ７６，Ｓ７９）。但し、ゾーンによっては、現在の制御出力値と制御上限値との間に大きな差が有る場合も有るが、一気に照度上限まで制御出力値を設定すると、店内がちらつく現象が見られるため、一定の制御制限幅（α）をもって照度上限値まで誘導する（ステップＳＳ７４，Ｓ７５，Ｓ７７，Ｓ７８，Ｓ８０，Ｓ８１）。
【００５５】
照度コントローラ１０は、各ゾーンの照度上限値を決定すると、各照度センサ１２Ａ〜１２Ｃに出力して、各照明器具３０の調光制御を実行させる（ステップＳ８２，Ｓ８３）。そして、照度コントローラ１０は、各ゾーンの照度上限がセットされると、かすみフラグを０ｆｆして、前述の照度制御ルーチンに戻る（ステップＳ８４，Ｓ８５のＹＥＳ，Ｓ８６）。
【００５６】
ここで、照度コントローラ１０は、全ゾーンが制御上限値に達するまで処理を継続するが、この間では外光及び隣接ゾーンの影響を考慮した制御を実行しない（ステップＳ８５のＮＯ）。また、照度コントローラ１０は、制御終了後に、目的とする照度に設定するための制御出力値に戻す場合の処理も、一定の制御制限幅をもって除々に照度を低下させる処理を実行する。
【００５７】
（屋外照度連動処理）
図１７及び図１８は、本実施形態の屋外照度連動処理を説明するための図である。
【００５８】
前述したように、本実施形態の照度コントローラ１０は、店舗内の各ゾーンの照度制御を行なう場合に、隣接ゾーンの影響を考慮した制御を実行する。しかしながら、各ゾーンは、実際の隣接ゾーンの照明器具からの影響がごく僅かで、ほとんど無視できる量である場合も想定できる。
【００５９】
このような場合には、照度コントローラ１０は、図８（日中の場合）及び図９（夜間の場合）に示すように、照度補正後の基準を起点として、基準より明るい場合には、屋外照度と基準照度との差に一定の減光率を掛けた制御出力値を出力して、各ゾーンの照度制御を実行する。また、基準より暗い場合には、同様に一定の増光率を掛けた制御出力値を出力して、各ゾーンの照度制御を実行する。図１７は、当該制御出力値を定義する定義式を示す図である。ここで、基準照度は、必要とされる基準照度から、ショーケースや看板の照明の輝度を差し引いた値を用いる。
【００６０】
照度コントローラ１０は、図１８に示すように、各ゾーンの照度設定を行なう場合に、屋外照度が、基準照度を満たしているかを否かを判断し、図１７の条件式によって窓側ゾーンの制御出力値を求める（ステップＳ９１〜Ｓ９３）。
【００６１】
即ち、屋外照度が基準照度以上の場合には、図１７の「日中」の条件式に従って、窓側ゾーンの設定照度の計算を実行する（ステップＳ９３のＹＥＳ，Ｓ９４〜Ｓ１００）。ここで、照度コントローラ１０は、前述のかすみ処理と同様に、一気に目的の制御出力値を算出することなく、一定の制御制限幅（α）以下での変化に留める（ステップＳ９９，Ｓ１００）。また、日中で制御照度下限を下回る場合には、その下限値を制御出力値として設定する。
【００６２】
一方、屋外照度が基準照度未満の場合には、図１７の「夜間」の条件式に従って、窓側ゾーンの設定照度の計算を実行する（ステップＳ９３のＮＯ，Ｓ１０４〜Ｓ１１０）。同様に、照度コントローラ１０は、一気に目的の制御出力値を算出することなく、一定の制御制限幅（α）以下での変化に留める（ステップＳ１０９，Ｓ１１０）。また、夜間で制御照度上限を上回る場合には、その上限値を制御出力値として設定する。
【００６３】
以上のようにして、照度コントローラ１０は、窓側ゾーンの照度を設定すると、その値と基準照度に減光率／増光率を掛ける事で、隣接の中間ゾーンの設定照度計算を実行し、さらに順々にその隣接ゾーンである壁側ゾーンの設定照度計算を実行する（ステップＳ１０１，Ｓ１０２）。
【００６４】
そして、照度コントローラ１０は、各ゾーンの照度を決定すると、各照度センサ１２Ａ〜１２Ｃに出力して、各照明器具３０の調光制御を実行させる（ステップＳ１０３）。
【００６５】
なお、本実施形態は、コンビニエンス・ストアのような店舗の照明制御について説明したが、店舗以外の建物の照明制御にも適用できる。
【００６６】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】本発明の実施形態に関する例えば店舗内の照明設備の構成を示す図。
【図２】本実施形態に関する店舗内のレイアウトを示す図。
【図３】本実施形態に関する店舗内の照明器具の配置を示す図。
【図４】本実施形態に関する店舗内の照明器具の配置を示す図。
【図５】本実施形態に関する照度センサの配置を示す図。
【図６】本実施形態に関する店舗内の外光による影響を説明するための図。
【図７】本実施形態に関する店舗内の夜間における照度を説明するための図。
【図８】本実施形態に関する店舗内の外光及びそれ以外の照明による影響を説明するための図。
【図９】本実施形態に関する店舗内の夜間における照度を説明するための図。
【図１０】本実施形態に関する隣接ゾーンの影響を考慮した照度制御を説明するための図。
【図１１】本実施形態に関する隣接ゾーンの影響を考慮した照度制御を説明するためのフローチャート。
【図１２】本実施形態に関する隣接ゾーンの影響を考慮した照度制御を説明するためのフローチャート。
【図１３】本実施形態に関する隣接ゾーンの影響を考慮した照度制御を説明するためのフローチャート。
【図１４】本実施形態に関する隣接ゾーンの影響を考慮した照度制御を説明するためのフローチャート。
【図１５】本実施形態に関する隣接ゾーンの影響を考慮した照度制御を説明するためのフローチャート。
【図１６】本実施形態に関するかすみ処理を含む照度制御を説明するためのフローチャート。
【図１７】本実施形態に関する屋外照度連動処理の定義式を説明するための図。
【図１８】本実施形態に関する屋外照度連動処理の手順を示すフローチャート。
【符号の説明】
【００６８】
１０…照度コントローラ、１１Ａ…壁側ゾーン、１１Ｂ…中間ゾーン、
１１Ｃ…窓側ゾーン、１２Ａ〜１２Ｃ…照度センサ、１２Ｄ…屋外用照度センサ、
１３…主幹ブレーカ１３、１４…店内照明用ブレーカ、２０…窓ガラス面、
３０…照明器具。
【図１】
2006012679.tif 000003
【図２】
2006012679.tif 000004
【図３】
2006012679.tif 000005
【図４】
2006012679.tif 000006
【図５】
2006012679.tif 000007
【図６】
2006012679.tif 000008
【図７】
2006012679.tif 000009
【図８】
2006012679.tif 000010
【図９】
2006012679.tif 000011
【図１０】
2006012679.tif 000012
【図１１】
2006012679.tif 000013
【図１２】
2006012679.tif 000014
【図１３】
2006012679.tif 000015
【図１４】
2006012679.tif 000016
【図１５】
2006012679.tif 000017
【図１６】
2006012679.tif 000018
【図１７】
2006012679.tif 000019
【図１８】
2006012679.tif 000020